(57)【要約】【課題】日中の屋外でも発光部の発する光を視認しやすくし且つ雨水の浸入による不具合の発生を防止する。【解決手段】内カバー４前面の鉛直方向における略中央には、水平方向に突出する庇部４０が設けられている。故に、造営面に配設された状態においては庇部４０によって日光が遮られ、庇部４０よりも鉛直下方に位置する発光部１２に日光が当たりにくくなり、日中の屋外でも発光部１２の発する光が視認しやすくなる。また、化粧カバー２の内側に侵入した雨水がハウジングの外表面を伝って鉛直下方へ移動しても庇部４０で遮られて設定部１３まで達しないから、スイッチ挿通孔４ｂを通してハウジングの内部に雨水が浸入することを防ぐことができ、雨水による短絡等の故障の発生が防止できる。【選択図】        図１
2006209349.tif 000002
【特許請求の範囲】
【請求項１】
トリガ入力に応じて音並びに光により警報を発する警報器であって、壁面のような造営面に固定される本体と、透光性を有し該本体前面を覆うように着脱自在に前記本体に取り付けられる化粧カバーとを備え、前記本体は、警報音を鳴動する鳴動部と、１乃至複数の光源からなる発光部と、トリガ入力に応じて前記鳴動部及び発光部を駆動制御する制御部と、該制御部に対して前記鳴動部並びに発光部の動作に関する設定を行うための設定部と、略箱形に形成されて前記鳴動部、発光部、制御部、設定部を内蔵するハウジングとを具備した警報器において、前記ハウジングは、鉛直方向上部に前記鳴動部が配置されるとともに鉛直方向下部に前記発光部並びに設定部が配置され、前記鳴動部が配置された部位と前記発光部並びに設定部が配置された部位との間で略水平方向に突出する庇部が外表面に設けられてなることを特徴とする警報器。
【請求項２】
前記化粧カバーの内壁面と対向する前記庇部の先端に、当該内壁面に沿ったリブが突設されたことを特徴とする請求項１記載の警報器。
【請求項３】
前記化粧カバーの内壁面と対向する前記庇部の先端に、当該内壁面に沿うようにシール材が設けられたことを特徴とする請求項１記載の警報器。
【発明の詳細な説明】
【技術分野】
【０００１】
本発明は、トリガ入力に応じて音並びに光により警報を発する警報器に関するものである。
【背景技術】
【０００２】
この種の警報器として、発信機から発信されるトリガ信号を受信したときにブザーを鳴動させて警報音を発したり、あるいは光源を発光させて光による警報を発するようにしたものがあり、例えば、公園の公衆トイレや地下道の出入り口、あるいは一人住まいの高齢者宅などに設置され、公衆トイレや地下道あるいは住宅内で犯罪の被害にあったり急病で動けなくなった場合に発信機を操作することで通行人や隣近所の住人へ警報を発するというような用途に用いられている（例えば、特許文献１参照）。
【特許文献１】特開２００３−２１７０３３号公報
【発明の開示】
【発明が解決しようとする課題】
【０００３】
ところで、上述のような警報器の一例として、壁面のような造営面に固定される本体と、透光性を有し該本体前面を覆うように着脱自在に前記本体に取り付けられる化粧カバーとを備え、前記本体が、警報音を鳴動する鳴動部と、１乃至複数の光源からなる発光部と、トリガ入力に応じて前記鳴動部及び発光部を駆動制御する制御部と、該制御部に対して前記鳴動部並びに発光部の動作に関する設定を行うための設定部と、略箱形に形成されて前記鳴動部、発光部、制御部、設定部を内蔵するハウジングとを具備したものがある。かかる警報器が屋外に設置された場合、日光が当たることで発光部の発する光の視認が困難になるという問題や、化粧カバーの内側に侵入した雨水が設定部の設定スイッチを露出させるための孔などを通してハウジング内にまで達するという問題がある。
【０００４】
本発明は上記事情に鑑みて為されたものであり、その目的は、日中の屋外でも発光部の発する光が視認しやすく且つ雨水の浸入による不具合の発生が防止できる警報器を提供することにある。
【課題を解決するための手段】
【０００５】
請求項１の発明は、上記目的を達成するために、トリガ入力に応じて音並びに光により警報を発する警報器であって、壁面のような造営面に固定される本体と、透光性を有し該本体前面を覆うように着脱自在に前記本体に取り付けられる化粧カバーとを備え、前記本体は、警報音を鳴動する鳴動部と、１乃至複数の光源からなる発光部と、トリガ入力に応じて前記鳴動部及び発光部を駆動制御する制御部と、該制御部に対して前記鳴動部並びに発光部の動作に関する設定を行うための設定部と、略箱形に形成されて前記鳴動部、発光部、制御部、設定部を内蔵するハウジングとを具備した警報器において、前記ハウジングは、鉛直方向上部に前記鳴動部が配置されるとともに鉛直方向下部に前記発光部並びに設定部が配置され、前記鳴動部が配置された部位と前記発光部並びに設定部が配置された部位との間で略水平方向に突出する庇部が外表面に設けられてなることを特徴とする。
【０００６】
請求項２の発明は、請求項１の発明において、前記化粧カバーの内壁面と対向する前記庇部の先端に、当該内壁面に沿ったリブが突設されたことを特徴とする。
【０００７】
請求項３の発明は、請求項１の発明において、前記化粧カバーの内壁面と対向する前記庇部の先端に、当該内壁面に沿うようにシール材が設けられたことを特徴とする。
【発明の効果】
【０００８】
請求項１の発明によれば、ハウジングの外表面に設けられた庇部によって日光が遮られ、庇部よりも鉛直下方に位置する発光部に日光が当たりにくくなるから、日中の屋外でも発光部の発する光が視認しやすくなり、また、化粧カバーの内側に侵入した雨水がハウジングの外表面を伝って鉛直下方へ移動しても庇部で遮られて設定部まで達しないから、雨水の浸入による不具合の発生が防止できるという効果がある。
【０００９】
なお、請求項２や請求項３の発明のように、庇部の先端に化粧カバーの内壁面に沿ったリブあるいはシール材を設ければ、化粧カバーの内壁面と本体のハウジング外表面との間の隙間から発光部の発する光が漏れにくくなる。
【発明を実施するための最良の形態】
【００１０】
以下、図１〜図３を参照して本発明の実施形態を詳細に説明する。
【００１１】
本実施形態の警報器は、壁面のような造営面に固定される本体１と、本体１の前面を覆うように着脱自在に本体１に取り付けられる化粧カバー２とを備えている。また本体１は、ボディ３と内カバー４からなるハウジングと、ハウジングを造営面に固定するための取付ベース５とで構成される。
【００１２】
ボディ３は不透明な合成樹脂成形品からなり、略半長円形の底板３０と、底板３０を全周に渡って囲む周壁３１とが一体に形成されている。底板３０には、第１のプリント配線板６に実装された複数のねじ端子７を収納する端子収納部３２が設けられ、各端子収納部３２の底面にはボディ３の背面（図１における下面）側からねじ端子７の端子ねじ７ａを操作するための孔３２ａがそれぞれ貫設されている。そして、これらのねじ端子７には電源ケーブル（図示せず）が接続され、電源ケーブルを介して供給される商用交流電源の電源電圧（ＡＣ１００Ｖ）がトランス８で降圧される。ボディ３の底板３０にはトランス８を支持するために４つの支持突起３３が前方（図１における上方）へ向けて突設されている。尚、ボディ３の周壁３１には、後述するアンテナ９の端子板９ａが挿通される孔３１ａが貫設され、端子板９ａを貫通するねじ挿通孔９ｂに挿通したねじ９ｃにより底壁３０から前方へ突設されたボス（図示せず）にねじ止めされる。第１のプリント配線板６は略半長円形に形成され、中央部にはトランス８が挿通される矩形の貫通孔６ａが貫設されるとともに、後述する制御部１４がねじ端子７と反対側の面（図１における上面）に実装されている。尚、第１のプリント配線板６の端部にはねじ９ｃを挿通する挿通孔６ｂが貫設されており、アンテナ９の端子板９ａとともにねじ９ｃによって底板３０に固定された状態で端子板９ａと第１のプリント配線板６の背面に形成された配線パターンとが接触導通するようになっている。
【００１３】
一方、内カバー４は不透明な合成樹脂成形品からなり、平面視略半長円形であって背面側が開口する箱形に形成されており、周壁３１の内側に嵌合する形でボディ３の前面に被着され、組立ねじ１０によってボディ３と結合される。内カバー４前面の鉛直方向における略中央には、水平方向に突出する庇部４０が設けられ、この庇部４０より上側では内カバー４前面が鉛直方向に沿った平坦面となり、庇部４０より下側では内カバー４前面が鉛直下方に向かうにつれて後方へ傾斜する傾斜面となっている。尚、庇部４０の先端から内カバー４の両側面にかけての内カバー４外表面には、図３（ｂ）に示すように前方へ突出する幅細のリブ４１が突設されている。
【００１４】
内カバー４内には警報音を鳴動する鳴動部１１と、光による警報を発する発光部１２と、制御部１４に対して鳴動部１１並びに発光部１２の動作に関する設定（鳴動や発光の時間、周期、停止など）を行うための設定部１３とが収納される。鳴動部１１は圧電ブザーからなり、押さえ部材４２によって内カバー４の前記平坦面の内側に押さえつけるようにして固定され、制御部１４により駆動されて警報音を鳴動する。押さえ部材４２は有底筒状に形成された押さえ部４２ａと、押さえ部４２ａの周面に設けられて固定ねじ４３が挿通されるボス部４２ｂと、制御部１４とトランス８及びねじ端子７との間に介在して両者を隔絶する一対の壁部４２ｃとが電気絶縁性を有する合成樹脂により一体に形成されてなり、複数のボス部４２ｂに挿通された固定ねじ（図示せず）によって内カバー４に固定される。尚、鳴動部１１が鳴動する警報音は、内カバー４の前記平坦面に貫設された円形の音孔４４を通して前方へ放射される。
【００１５】
発光部１２は、第２のプリント配線板１５に実装された複数個（本実施形態では１８個）の表面実装型の発光ダイオードＬＤからなり、制御部１４により駆動されて発光する。また設定部１３は、発光ダイオードＬＤとともに第２のプリント配線板１５に実装された４個のタクトスイッチＴＳ並びに２個のディップスイッチＤＳからなり、マイコンを主構成要素とする制御部１４に対して、トリガ信号が入力されたときに鳴動部１１を鳴動させる時間並びに発光部を発光させる時間や周期を設定したり、あるいは鳴動部１１及び発光部１２の駆動を停止させるなどの設定入力を与える。内カバー４の前記傾斜面には発光部１２の発光ダイオードＬＤが挿通される複数個の発光ダイオード挿通孔４ａと、設定部１３のタクトスイッチＴＳ並びディップスイッチＤＳが挿通される複数個のスイッチ挿通孔４ｂとが貫設されており、各発光ダイオード挿通孔４ａに発光ダイオードＬＤを挿通するとともに各スイッチ挿通孔４ｂにタクトスイッチＴＳ並びディップスイッチＤＳを挿通するようにして第２のプリント配線板１５が内カバー４の前記傾斜面の内側に配置される。ここで、内カバー４の内面には複数の係止片（図示せず）が後方に向かって突設されており、各係止片の先端を端縁に係止することで第２のプリント配線板１５が内カバー４に対して固定される。尚、内カバー４の前記傾斜面には透明なシート状の部材からなる銘板４５が貼着され、銘板４５の表面には設定部１３の機能や設定値等が印字されている。
【００１６】
取付ベース５は不透明な合成樹脂成形品からなり、略半長円形の底板５０と、底板５０を全周に渡って囲む周壁５１とを有して前面が開口した扁平な箱形に形成されている。底板５０の上部にはだるま孔からなる取付孔５２が貫設され、底板５０の下部には長孔からなる取付孔５３が貫設されており、これら２つの取付孔５２，５３に挿通した取付ねじ（図示せず）によって取付ベース５が壁面などの造営面に取り付けられる。また、底板５０には電源ケーブルが挿通されるケーブル挿通窓５０ｂが開口している。底板５０の下端部には雌ねじ５４を収納したボス部５０ａが設けられるとともに、周壁５１の上部には外側に突出する一対の突起５１ａが設けられており、ボディ３の周壁３１上部に貫設された一対の係止溝（図示せず）に突起５１ａが挿入係止され、ボディ３並びに内カバー４の下端部に貫設されたねじ挿通孔３ａ，４ｄに挿通した取付ねじ１６をボス部５０ａの雌ねじ５４に螺合することで周壁３１の内側に嵌合する形で本体１（ボディ３）の背面に取付ベース５が固定される。
【００１７】
化粧カバー２は、透明且つ赤色に着色された合成樹脂成形品からなり、平面視略長円形であって背面が開口した箱形に形成され、その内部にハウジング（ボディ３並びに内カバー４）を収納するようにして着脱自在に本体１に取り付けられる。化粧カバー２の鉛直方向上部には、外表面から内側へ窪んだ平面視円形の凹所２０が設けられ、凹所２０の底面中央には内側が内カバー４の音孔４４に連通した円筒形の音孔部２１が設けられている。ここで、凹所２０内には、内底面より突出するとともに内側面並びに音孔部２１と連結し且つ内側面から離れるにつれて内底面からの突出量が徐々に減少する突条部２２が化粧カバー２に一体に設けられている。
【００１８】
また、凹所２０には音孔部２１を含む内底面を隠すキャップ２３が取り付けられる。キャップ２３は化粧カバー２と同様に透明且つ赤色に着色された合成樹脂成形品からなり、平面視略円形であって前方へ凸となる曲面形状を有する前壁部２３ａと、前壁部２３ａの周縁から後方へ突出する周壁部２３ｂとを有し、周壁部２３ｂには突条部２２を避けるための切り欠き２３ｃが設けられている。また、周壁部２３ｂの後端縁から後方へ突出する３つの取付脚２３ｄが設けられ、各取付脚２３ｄの先端には外側に突出する取付爪２３ｅが突設されている。そして、これら３つの取付脚２３ｄを凹所２０の底面に貫設された取付孔２４にそれぞれ挿通し、取付孔２４の周縁に取付爪２３ｅを係止することでキャップ２３を凹所２０に取り付ければ、キャップ２３によって音孔部２１並びに突条部２２の略全部が覆い隠されるために外観の品質が向上する。さらに、取付状態ではキャップ２３の周壁部２３ｂと凹所２０の内側面との間に隙間が形成されており、音孔部２１を通して凹所２０に放射された警報音はキャップ２３の周壁部２３ｂと凹所２０の内底面の隙間から周壁部２３ｂと凹所２０の内側面との間の隙間を通して化粧カバー２の前方へ向けて広範囲に放射されることになる。尚、キャップ２３には音孔部２１並びに凹所２０の内底面に当接する複数の当接片２３ｆが設けられ、これらの当接片２３ｆでキャップ２３が支持されている。
【００１９】
次に本体１と化粧カバー２の取付構造について説明する。
【００２０】
化粧カバー２の鉛直下端部には内向きに突出する係止部２５が設けられ、ボディ３の鉛直下端部における周壁３１の後端縁には係止部２５が係止離脱自在に係止する被係止部３４が形成されている。また化粧カバー２の鉛直上端部には内向き、すなわちボディ３の周壁３１に向かって突出する係合爪２６が設けられている。一方、ボディ３の周壁３１における係合爪２６との対向位置には、周壁３１に連結された一端側を支点として鉛直方向（図２における上下方向）に撓み自在であるレバー３５が設けられている。レバー３５は支点となる一端側に対して自由端（先端）が化粧カバー２に近付く向き、すなわち鉛直方向上向き（図２における上向き）に傾斜した帯板状に形成されるとともに、係合爪２６と係合する係合突起３５ａが撓み方向に直交する方向（水平方向）における両端部より化粧カバー２に向かってそれぞれ突設されている。これら２つの係合突起３５ａは、本体１の前方側が斜面となった略直角三角形状に形成されている。而して、化粧カバー２の係止部２５をボディ３の被係止部３４に係止させた後、化粧カバー２の鉛直方向上部を本体１に押しつければ、化粧カバー２の係合爪２６がレバー３５に突設された２つの係合突起３５ａの斜面に摺接することでレバー３５が本体１の方へ撓み、係合爪２６が係合突起３５ａを乗り越えてレバー３５が元の状態に復帰したときに係合爪２６と係合突起３５ａが係合することで化粧カバー２が本体１に固定される。また、レバー３５の自由端に設けられた操作片３５ｂを押操作してレバー３５を本体１の方へ撓ませれば、係合爪２６と係合突起３５ａの係合が解除され、化粧カバー２を本体１から取り外すことができる。
【００２１】
上述のように構成される本実施形態の警報器は、例えば、公園の公衆トイレや地下道の出入り口、あるいは一人住まいの高齢者宅などに設置され、公衆トイレや地下道あるいは住宅内に設置された発信機から発信されたトリガ信号をアンテナ９を介して受信したとき、設定部１３で設定された内容に従って制御部１４が鳴動部１１を駆動して警報音を鳴動させるとともに発光部１２を駆動して光による警報を行うのである。
【００２２】
ところで本実施形態においては、ハウジング（ボディ３及び内カバー４）の鉛直方向上部に鳴動部１１が配置されるとともに鉛直方向下部に発光部１２並びに設定部１３が配置され、鳴動部１１が配置された部位と発光部１２並びに設定部１３が配置された部位との間で略水平方向に突出する庇部４０が外表面に設けられているから、造営面に配設された状態においては庇部４０によって日光が遮られ、庇部４０よりも鉛直下方に位置する発光部１２に日光が当たりにくくなり、日中の屋外でも発光部１２の発する光が視認しやすくなる。また、図３（ｂ）に矢印で示すように化粧カバー２の内側に侵入した雨水がハウジングの外表面を伝って鉛直下方へ移動しても庇部４０で遮られて設定部１３まで達しないから、スイッチ挿通孔４ｂを通してハウジングの内部に雨水が浸入することを防ぐことができ、雨水による短絡等の故障の発生が防止できるものである。また本実施形態では、庇部４０の先端から内カバー４の両側面にかけての内カバー４外表面に前方へ突出する幅細のリブ４１が突設されているから、化粧カバー２の内壁面と本体１のハウジング外表面との間の隙間がリブ４１によって閉塞されて発光部１２の発する光が鉛直方向上部に漏れにくくなる。尚、リブ４１を設ける代わりに、図３（ｃ）に示すように庇部４０の先端から内カバー４の両側面にかけての内カバー４外表面に幅細のシール材（例えば、スポンジなど）５０を貼着しても構わない。
【図面の簡単な説明】
【００２３】
【図１】本発明の実施形態を示す分解斜視図である。
【図２】同上を示し、（ａ）は正面図、（ｂ）は右側面図、（ｃ）は化粧カバーを外した本体の正面図、（ｄ）は化粧カバーを外した本体の右側面図である。
【図３】同上における本体を示し、（ａ）は斜視図、（ｂ）は要部の斜視図、（ｃ）は他の構造の要部斜視図である。
【符号の説明】
【００２４】
１  本体
２  化粧カバー
３  ボディ
４  内カバー
１１  鳴動部
１２  発光部
１３  設定部
４０  庇部
【図１】
2006209349.tif 000003
【図２】
2006209349.tif 000004
【図３】
2006209349.tif 000005